(57)【特許請求の範囲】
【請求項１】
換気装置を制御するコントローラであって、
プログラムを格納したメモリと、
前記プログラムを実行するプロセッサと、
前記換気装置、部屋の温度を検知する第１の温度センサ、床下の空間の温度を検知する第２の温度センサ、および前記部屋に人が居るか否かを検知する人感センサと通信を行なう通信インターフェイスとを備え、
前記換気装置は、前記部屋と前記床下の空間との間で空気の換気を行ない、
前記プロセッサは、
複数のモードのうち指定されたモードで前記換気装置を制御し、
前記複数のモードのうちの予め定められたモードで前記換気装置を制御する場合、前記通信インターフェイスを用いて、前記部屋の温度が前記床下の空間の温度よりも高いと判断したことに基づき、前記換気装置に前記部屋の空気を前記床下の空間に送らせる制御を行ない、かつ、前記部屋の温度が前記床下の空間の温度よりも低いと判断したことに基づき、前記換気装置に前記床下の空間の空気を前記部屋に送らせる制御を行ない、
前記予め定められたモードで前記換気装置を制御する場合、前記部屋の温度が前記床下の空間の温度よりも低いと判断しかつ前記部屋に人が居ると判断したことに基づき前記換気装置に前記床下の空間の空気を前記部屋に送らせる制御と、前記部屋の温度が前記床下の空間の温度よりも高いと判断しかつ前記部屋に人が居ないと判断したことに基づき前記換気装置に前記部屋の空気を前記床下の空間に送らせる制御とのうち少なくとも一方の制御を行なう、コントローラ。
【請求項２】
換気装置を制御するコントローラであって、
プログラムを格納したメモリと、
前記プログラムを実行するプロセッサと、
前記換気装置、部屋の温度を検知する第１の温度センサ、床下の空間の温度を検知する第２の温度センサ、および前記部屋に人が居るか否かを検知する人感センサと通信を行なう通信インターフェイスとを備え、
前記換気装置は、前記部屋と前記床下の空間との間で空気の換気を行ない、
前記プロセッサは、
複数のモードのうち指定されたモードで前記換気装置を制御し、
前記複数のモードのうちの予め定められたモードで前記換気装置を制御する場合、前記通信インターフェイスを用いて、前記部屋の温度が前記床下の空間の温度よりも低いと判断したことに基づき、前記換気装置に前記部屋の空気を前記床下の空間に送らせる制御を行ない、かつ、前記部屋の温度が前記床下の空間の温度よりも高いと判断したことに基づき、前記換気装置に前記床下の空間の空気を前記部屋に送らせる制御を行ない、
前記予め定められたモードで前記換気装置を制御する場合、前記部屋の温度が前記床下の空間の温度よりも高いと判断しかつ前記部屋に人が居ると判断したことに基づき前記換気装置に前記床下の空間の空気を前記部屋に送らせる制御と、前記部屋の温度が前記床下の空間の温度よりも低いと判断しかつ前記部屋に人が居ないと判断したことに基づき前記換気装置に前記部屋の空気を前記床下の空間に送らせる制御とのうち少なくとも一方の制御を行なう、コントローラ。
【請求項３】
部屋と床下の空間との間で空気の換気を行なう換気装置と、
前記換気装置を制御するコントローラと、
前記部屋の温度を検知する第１の温度センサと、
前記床下の空間の温度を検知する第２の温度センサと、
前記部屋に人が居るか否かを検知する人感センサとを備え、
前記コントローラは、
プログラムを格納したメモリと、
前記プログラムを実行するプロセッサと、
前記換気装置、前記第１の温度センサ、前記第２の温度センサおよび前記人感センサと通信を行なう通信インターフェイスとを含み、
前記プロセッサは、
複数のモードのうち指定されたモードで前記換気装置を制御し、
前記複数のモードのうちの予め定められたモードで前記換気装置を制御する場合、前記通信インターフェイスを用いて、前記部屋の温度が前記床下の空間の温度よりも高いと判断したことに基づき、前記換気装置に前記部屋の空気を前記床下の空間に送らせる制御を行ない、かつ、前記部屋の温度が前記床下の空間の温度よりも低いと判断したことに基づき、前記換気装置に前記床下の空間の空気を前記部屋に送らせる制御を行ない、
前記予め定められたモードで前記換気装置を制御する場合、前記部屋の温度が前記床下の空間の温度よりも低いと判断しかつ前記部屋に人が居ると判断したことに基づき前記換気装置に前記床下の空間の空気を前記部屋に送らせる制御と、前記部屋の温度が前記床下の空間の温度よりも高いと判断しかつ前記部屋に人が居ないと判断したことに基づき前記換気装置に前記部屋の空気を前記床下の空間に送らせる制御とのうち少なくとも一方の制御を行なう、換気システム。
【請求項４】
部屋と床下の空間との間で空気の換気を行なう換気装置と、
前記換気装置を制御するコントローラと、
前記部屋の温度を検知する第１の温度センサと、
前記床下の空間の温度を検知する第２の温度センサと、
前記部屋に人が居るか否かを検知する人感センサとを備え、
前記コントローラは、
プログラムを格納したメモリと、
前記プログラムを実行するプロセッサと、
前記換気装置、前記第１の温度センサ、前記第２の温度センサおよび前記人感センサと通信を行なう通信インターフェイスとを含み、
前記プロセッサは、
複数のモードのうち指定されたモードで前記換気装置を制御し、
前記複数のモードのうちの予め定められたモードで前記換気装置を制御する場合、前記通信インターフェイスを用いて、前記部屋の温度が前記床下の空間の温度よりも低いと判断したことに基づき、前記換気装置に前記部屋の空気を前記床下の空間に送らせる制御を行ない、かつ、前記部屋の温度が前記床下の空間の温度よりも高いと判断したことに基づき、前記換気装置に前記床下の空間の空気を前記部屋に送らせる制御を行ない、
前記予め定められたモードで前記換気装置を制御する場合、前記部屋の温度が前記床下の空間の温度よりも高いと判断しかつ前記部屋に人が居ると判断したことに基づき前記換気装置に前記床下の空間の空気を前記部屋に送らせる制御と、前記部屋の温度が前記床下の空間の温度よりも低いと判断しかつ前記部屋に人が居ないと判断したことに基づき前記換気装置に前記部屋の空気を前記床下の空間に送らせる制御とのうち少なくとも一方の制御を行なう、換気システム。
【請求項５】
部屋と床下の空間との間で空気を換気する換気装置を、前記部屋の温度および前記床下の空間の温度に基づいてコントローラで制御する制御方法であって、
前記部屋の温度が前記床下の温度よりも高いか低いかを判断する第１ステップと、
前記部屋の温度が前記床下の空間の温度よりも高いと判断したことに基づき、前記換気装置に前記部屋の空気を前記床下の空間に送らせる制御を行なう第２ステップと、
前記部屋の温度が前記床下の空間の温度よりも低いと判断したことに基づき、前記換気装置に前記床下の空間の空気を前記部屋に送らせる制御を行なう第３ステップとを備え、
前記第２ステップでは前記部屋の温度が前記床下の空間の温度よりも高いと判断しかつ前記部屋に人が居ないと判断したことに基づき前記換気装置に前記部屋の空気を前記床下の空間に送らせる制御を行なうか、または前記第３ステップでは前記部屋の温度が前記床下の空間の温度よりも低いと判断しかつ前記部屋に人が居ると判断したことに基づき前記換気装置に前記床下の空間の空気を前記部屋に送らせる制御を行なう、制御方法。
【請求項６】
部屋と床下の空間との間で空気を換気する換気装置を、前記部屋の温度および前記床下の空間の温度に基づいてコントローラで制御する制御方法であって、
前記部屋の温度が前記床下の温度よりも高いか低いかを判断する第１ステップと、
前記部屋の温度が前記床下の空間の温度よりも低いと判断したことに基づき、前記換気装置に前記部屋の空気を前記床下の空間に送らせる制御を行なう第２ステップと、
前記部屋の温度が前記床下の空間の温度よりも高いと判断したことに基づき、前記換気装置に前記床下の空間の空気を前記部屋に送らせる制御を行なう第３ステップとを備え、
前記第２ステップでは前記部屋の温度が前記床下の空間の温度よりも低いと判断しかつ前記部屋に人が居ないと判断したことに基づき前記換気装置に前記部屋の空気を前記床下の空間に送らせる制御を行なうか、または前記第３ステップでは前記部屋の温度が前記床下の空間の温度よりも高いと判断しかつ前記部屋に人が居ると判断したことに基づき前記換気装置に前記床下の空間の空気を前記部屋に送らせる制御を行なう、制御方法。
【請求項７】
部屋と床下の空間との間で空気を換気する換気装置を、前記部屋の温度および前記床下
の空間の温度に基づいてコントローラで制御するためのプログラムであって、
前記部屋の温度が前記床下の温度よりも高いか低いかを判断する第１ステップと、
前記部屋の温度が前記床下の空間の温度よりも高いと判断したことに基づき、前記換気装置に前記部屋の空気を前記床下の空間に送らせる制御を行なう第２ステップと、
前記部屋の温度が前記床下の空間の温度よりも低いと判断したことに基づき、前記換気装置に前記床下の空間の空気を前記部屋に送らせる制御を行なう第３ステップとを前記コントローラに実行させ、
前記第２ステップでは前記部屋の温度が前記床下の空間の温度よりも高いと判断しかつ前記部屋に人が居ないと判断したことに基づき前記換気装置に前記部屋の空気を前記床下の空間に送らせる制御を行なうか、または前記第３ステップでは前記部屋の温度が前記床下の空間の温度よりも低いと判断しかつ前記部屋に人が居ると判断したことに基づき前記換気装置に前記床下の空間の空気を前記部屋に送らせる制御を行なう、プログラム。
【請求項８】
部屋と床下の空間との間で空気を換気する換気装置を、前記部屋の温度および前記床下
の空間の温度に基づいてコントローラで制御するためのプログラムであって、
前記部屋の温度が前記床下の温度よりも高いか低いかを判断する第１ステップと、
前記部屋の温度が前記床下の空間の温度よりも低いと判断したことに基づき、前記換気装置に前記部屋の空気を前記床下の空間に送らせる制御を行なう第２ステップと、
前記部屋の温度が前記床下の空間の温度よりも高いと判断したことに基づき、前記換気装置に前記床下の空間の空気を前記部屋に送らせる制御を行なう第３ステップとを前記コントローラに実行させ、
前記第２ステップでは前記部屋の温度が前記床下の空間の温度よりも低いと判断しかつ前記部屋に人が居ないと判断したことに基づき前記換気装置に前記部屋の空気を前記床下の空間に送らせる制御を行なうか、または前記第３ステップでは前記部屋の温度が前記床下の空間の温度よりも高いと判断しかつ前記部屋に人が居ると判断したことに基づき前記換気装置に前記床下の空間の空気を前記部屋に送らせる制御を行なう、プログラム。
【発明の詳細な説明】
【技術分野】
【０００１】
本発明は、コントローラ、当該コントローラにおける制御方法、および当該コントローラで実行されるプログラムに関する。特に、本発明は、換気装置を制御するコントローラ、当該コントローラを備えた換気システム、当該コントローラにおける制御方法、および当該コントローラで実行されるプログラムに関する。
【背景技術】
【０００２】
住宅の機密性の向上に伴う、住宅内の換気の悪化およびシックハウスへの対策のために、近年の住宅においては、常に換気を行なう換気システムが設置されている。単に窓を開けて換気を行なう場合には住宅全体の換気を行なうことは困難であったが、当該換気システムによって住宅内の空気の入れ換えが簡便に行なえる。
【０００３】
このような換気システムにおいては、部屋にダクト等の吸排気口が備えられ、換気ユニットにより複数の部屋の換気を調整する構成が一般的である。この結果、各部屋が接続されている状態となっている。
【０００４】
特許文献１には、当該換気システムとして、住宅内の他室で発生する熱および蓄積する熱を利用しながら換気を行なうシステムが開示されている。具体的には、特許文献１の換気システムは、第１の連通手段と、第２の連通手段と、送風手段と、温度計測手段と、制御手段とを備えている。
【０００５】
第１の連通手段は、建物内における第１の部屋と第２の部屋とを連通させる。第２の連通手段は、第１の部屋および第２の部屋を室外と連通させる。送風手段は、第１の連通手段を介して強制的に部屋間の送風を発生させる。温度計測手段は、第１の部屋と第２の部屋の少なくとも一方の温度を計測する。制御手段は、部屋の目標温度と温度計測手段が計測した温度とを比較して、温度計測手段が温度を計測する部屋とは別の部屋の温度を目標温度に近づけるように、送風手段により部屋間の送風を起こす。
【先行技術文献】
【特許文献】
【０００６】
【特許文献１】特開２００６−９８０１７号公報
【発明の概要】
【発明が解決しようとする課題】
【０００７】
しかしながら、上述したような換気システムにおいては、部屋で発生した熱を十分に利用できない状況が存在する。
【０００８】
たとえば、冬期においては、太陽光を窓から部屋に入射させることにより暖かい空気を部屋に貯めることができる。ところが、部屋の空気は、暖まり易い反面、窓や壁面から熱が放出するため冷め易い。
【０００９】
それゆえ、上述したように一方の部屋から他方の部屋に空気を送って温度調整をすることは、蓄熱効率の観点からは好ましくない。
【００１０】
本願発明は、上記の問題点に鑑みなされたものであって、その目的は、住宅内に蓄えられた熱を効率的に利用可能とするためのコントローラ、当該コントローラを備えた換気システム、当該コントローラにおける制御方法、および当該コントローラで実行されるプログラムを提供することにある。
【課題を解決するための手段】
【００１１】
本発明のある局面に従うと、コントローラは、換気装置を制御する。コントローラは、プログラムを格納したメモリと、プログラムを実行するプロセッサと、換気装置、部屋の温度を検知する第１の温度センサ、および床下の空間の温度を検知する第２の温度センサと通信を行なう通信インターフェイスとを備える。換気装置は、部屋と床下の空間との間で空気の換気を行なう。プロセッサは、部屋の温度が床下の空間の温度よりも高いと判断したことに基づき、通信インターフェイスを用いて、換気装置に部屋の空気を床下の空間に送らせる制御を行なう。プロセッサは、部屋の温度が床下の空間の温度よりも低いと判断したことに基づき、通信インターフェイスを用いて、換気装置に床下の空間の空気を部屋に送らせる制御を行なう。
【００１２】
好ましくは、通信インターフェイスは、部屋に人が居るか否かを検知する人感センサとさらに通信を行なう。プロセッサは、部屋の温度が床下の空間の温度よりも低いと判断し、かつ人が部屋に居ると判断したことに基づき、換気装置に床下の空間の空気を部屋に送らせる制御を行なう。
【００１３】
好ましくは、プロセッサは、部屋の温度が床下の空間の温度よりも高いと判断し、かつ部屋に人が居ないと判断したことに基づき、換気装置に部屋の空気を床下の空間に送らせる制御を行なう。
【００１４】
好ましくは、プロセッサは、第１のモードおよび第２のモードのうち指定されたモードで換気装置を制御する。プロセッサは、第１のモードで換気装置を制御する場合、部屋の温度が床下の空間の温度よりも高いと判断したことに基づき、換気装置に部屋の空気を床下の空間に送らせる制御を行ない、かつ、部屋の温度が床下の空間の温度よりも低いと判断したことに基づき、換気装置に床下の空間の空気を部屋に送らせる制御を行なう。プロセッサは、第２のモードで換気装置を制御する場合、部屋の温度が床下の空間の温度よりも低いと判断したことに基づき、換気装置に部屋の空気を床下の空間に送らせる制御を行ない、かつ、部屋の温度が床下の空間の温度よりも高いと判断したことに基づき、換気装置に床下の空間の空気を部屋に送らせる制御を行なう。
【００１５】
好ましくは、プロセッサは、第２のモードで換気装置を制御する場合、部屋の温度が床下の空間の温度よりも高いと判断し、かつ人が部屋に居ると判断したことに基づき、換気装置に床下の空間の空気を部屋に送らせる制御を行なう。
【００１６】
好ましくは、プロセッサは、第２のモードで換気装置を制御する場合、部屋の温度が床下の空間の温度よりも低いと判断し、かつ人が部屋に居ないと判断したことに基づき、換気装置に部屋の空気を床下の空間に送らせる制御を行なう。
【００１７】
本発明の他の局面に従うと、換気システムは、部屋と床下の空間との間で空気の換気を行なう換気装置と、換気装置を制御するコントローラと、部屋の温度を検知する第１の温度センサと、床下の空間の温度を検知する第２の温度センサとを備える。コントローラは、プログラムを格納したメモリと、プログラムを実行するプロセッサと、換気装置、第１の温度センサ、および第２の温度センサと通信を行なう通信インターフェイスとを含む。プロセッサは、部屋の温度が床下の空間の温度よりも高いと判断したことに基づき、通信インターフェイスを用いて、換気装置に部屋の空気を床下の空間に送らせる制御を行ないう。プロセッサは、部屋の温度が床下の空間の温度よりも低いと判断したことに基づき、通信インターフェイスを用いて、換気装置に床下の空間の空気を部屋に送らせる制御を行なう。
【００１８】
本発明のさらに他の局面に従うと、制御方法は、換気装置のコントローラにおける制御方法である。コントローラは、メモリに格納されたプログラムを実行するプロセッサと、換気装置、部屋の温度を検知する第１の温度センサ、および床下の空間の温度を検知する第２の温度センサと通信を行なう通信インターフェイスとを備える。換気装置は、部屋と床下の空間との間で空気の換気を行なう。制御方法は、プロセッサが、部屋の温度が床下の温度よりも高いか低いかを判断するステップと、プロセッサが、部屋の温度が床下の空間の温度よりも高いと判断したことに基づき、通信インターフェイスを用いて、換気装置に部屋の空気を床下の空間に送らせる制御を行なうステップと、プロセッサが、部屋の温度が床下の空間の温度よりも低いと判断したことに基づき、通信インターフェイスを用いて、換気装置に床下の空間の空気を部屋に送らせる制御を行なうステップとを備える。
【００１９】
本発明のさらに他の局面に従うと、プログラムは、換気装置のコントローラを制御するためのプログラムである。コントローラは、換気装置、部屋の温度を検知する第１の温度センサ、および床下の空間の温度を検知する第２の温度センサと通信を行なう通信インターフェイスとを備える。換気装置は、部屋と床下の空間との間で空気の換気を行なう。プログラムは、部屋の温度が床下の温度よりも高いか低いかを判断するステップと、部屋の温度が床下の空間の温度よりも高いと判断したことに基づき、通信インターフェイスを用いて、換気装置に部屋の空気を床下の空間に送らせる制御を行なうステップと、部屋の温度が床下の空間の温度よりも低いと判断したことに基づき、通信インターフェイスを用いて、換気装置に床下の空間の空気を部屋に送らせる制御を行なうステップとをコントローラに実行させる。
【発明の効果】
【００２０】
本発明によれば、住宅内に蓄えられた熱を効率的に利用可能となる。
【図面の簡単な説明】
【００２１】
【図１】換気システムの概略構成を説明するための図である。
【図２】ホームコントローラの外観を示した図である。
【図３】ホームコントローラのハードウェア構成を説明するための図である。
【図４】ホームコントローラで行なわれる処理の流れを示したフローチャートである。
【図５】図４におけるステップＳ６の処理の詳細を示したフローチャートである。
【図６】図４におけるステップＳ８の処理の詳細を示したフローチャートである。
【発明を実施するための形態】
【００２２】
以下、図面を参照しつつ、本発明の実施の形態に係る制御システムおよび当該制御システムを構成するホームコントローラについて説明する。以下の説明では、同一の部品には同一の符号を付してある。それらの名称および機能も同じである。したがって、それらについての詳細な説明は繰り返さない。
【００２３】
＜システム構成＞
図１は、換気システム１の概略構成を説明するための図である。図１（ａ）は、換気システム１が備えられる住宅９００の概観を示した図である。図１（ｂ）は、図１（ａ）におけるＩｂ−Ｉｂ線矢視断面図である。
【００２４】
図１（ｂ）を参照して、住宅９００は、少なくとも、コンクリートの基礎９１０と、基礎９１０の上に設置される木枠９２０と、床９３０と、外壁９４０と、内壁９５０と、天井９６０と、屋根９７０とにより構成されている。住宅９００は、部屋７０と、床下空間８０とを備える。部屋７０は、床９３０と内壁９５０と天井９６０とにより囲まれた空間である。床下空間８０は、床９３０と基礎９１０とに囲まれた空間である。
【００２５】
換気システム１は、ホームコントローラ１０と、人感センサ３０と、温度センサ４０と、温度センサ５０と、換気装置６０とを備える。ホームコントローラ１０は、人感センサ３０と、温度センサ４０と、温度センサ５０と、換気装置６０と通信を行なう。また、ホームコントローラ１０は、換気装置６０の動作を制御する。
【００２６】
ホームコントローラ１０と、人感センサ３０と、温度センサ４０とは、部屋７０の壁面（内壁９５０における外壁９４０とは反対側の面）に設置されている。温度センサ５０は、床下空間８０に設置されている。
【００２７】
人感センサ３０は、部屋７０に人がいるか否かを判断する。温度センサ４０は、部屋７０の温度（以下、「室温」とも称する）を検知する。温度センサ５０は、床下空間８０の温度を検知する。なお、後述する換気を行なわない限り、床下空間８０の温度変化は、通常、室温の変化よりも少ない。つまり、床下空間８０は、部屋７０よりも外気温の変化の影響を受けにくい。
【００２８】
換気装置６０は、送風装置６１と、ダクト６２とを含む。送風装置６１は、換気口６１ａを有する。送風装置６１は、床下空間８０に設置されている。ダクト６２は、換気口６２ａを有する。換気口６２ａは、部屋７０の壁面に位置する。ダクト６２は、換気口６２ａと反対側の開口が送風装置６１に接続されている。ダクト６２は、床下空間８０、および外壁９４０と内壁９５０との間の空間７５に亘って設置されている。
【００２９】
換気装置６０は、部屋７０と床下空間８０との間で換気を行なう。なお、「換気」とは、空気を入れかえることである。換気装置６０は、ホームコントローラ１０から第１の指令を受け付けた場合、部屋７０の空気を床下空間８０に送る。換気装置６０は、ホームコントローラ１０から第２の指令を受け付けた場合、床下空間８０の空気を部屋７０に送る。送風装置６１は、たとえば、正逆両方向の送風が可能な正逆両方向型軸流送風機である。
【００３０】
以下、換気システム１の動作概要について説明する。たとえば、冬の天気がよい昼間の時間帯などは、たとえば窓９８０（図１（ａ）参照）を介して、部屋７０に太陽の日差しが差し込む。このため、室温は上昇する。一方、床下空間８０には太陽の日差しが差し込まないため、床下空間８０の温度は、室温ほどは上昇しない。
【００３１】
そこで、昼間に部屋７０の暖かい空気を床下空間８０に貯めておき、夕方や夜など室温が低下したときに床下空間８０に貯めておいた空気を部屋７０に戻すように、ホームコントローラ１０は換気装置６０の制御を行なう。ホームコントローラ１０は、温度センサ４０と温度センサ５０との検知結果に基づき、当該制御を行なう。このような制御を行なうことにより、部屋７０で蓄えられた熱を有効に利用することができる。
【００３２】
ホームコントローラ１０は、さらに、人感センサ３０の検知結果に基づき、部屋７０に人が居る場合と居ない場合とで異なる制御を行なう。当該制御の詳細については後述する。また、ホームコントローラ１０は、夏においては、冬の場合と逆の制御を行なう。当該制御の詳細についても、後述する。
【００３３】
なお、図１では、１軒家を例に挙げているが、マンション等の集合住宅の１軒であってもよい。また、基礎９１０および床９３０に断熱材を貼り付け、床下空間８０を断熱材で囲まれた空間とすることが、エネルギー効率を高める観点から好ましい。
【００３４】
＜ホームコントローラのハードウェア構成＞
図２は、ホームコントローラ１０の外観を示した図である。図２を参照して、ホームコントローラ１０は、入力装置としての操作キー１０７１〜１０７６と、モニタ１１０とを備える。
【００３５】
図３は、ホームコントローラ１０のハードウェア構成を説明するための図である。図３を参照して、ホームコントローラ１０は、プログラムを実行するＣＰＵ（Central Processing Unit）１０１と、主記憶装置１０２と、データを不揮発的に格納するＲＯＭ（Read Only Memory）１０３と、フラッシュメモリ１０４と、ＶＲＡＭ（Video Random Access Memory）１０５と、ホームコントローラ１０のユーザによる指示の入力を受ける入力装置１０７と、通信インターフェイス１０８と、ＩＣ（Integrated Circuit）カードリーダライタ１０９と、モニタ１１０とを備える。また、ホームコントローラ１０は、一般的なコンピュータと同様に、カレンダー機能および時計機能とを備えている。これにより、ホームコントローラ１０は、現在日時を判断できる。
【００３６】
フラッシュメモリ１０４は、不揮発性の半導体メモリである。ＶＲＡＭ１０５は、モニタ１１０に表示される内容を保持するメモリである。モニタ１１０は、ＶＲＡＭ１０５が保持する内容を表示する。
【００３７】
通信インターフェイス１０８は、人感センサ３０と、温度センサ４０と、温度センサ５０と、換気装置６０との通信を行なう。
【００３８】
各構成要素１０１〜１０５，１０６〜１０９は、相互にデータバスによって接続されている。ＩＣカードリーダライタ１０９には、メモリカード１９１が装着される。
【００３９】
ホームコントローラ１０における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信インターフェイス１０８を介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００４０】
同図に示されるホームコントローラ１０を構成する各構成要素は、一般的なものである。したがって、本発明の本質的な部分は、フラッシュメモリ１０４、メモリカード１９１その他の記憶媒体に格納されたソフトウェア、あるいはネットワークを介してダウンロード可能なソフトウェアであるともいえる。なお、ホームコントローラ１０の各ハードウェアの動作は周知であるので、詳細な説明は繰り返さない。
【００４１】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００４２】
ここでいうプログラムとは、ＣＰＵにより直接実行可能なプログラムだけでなく、ソースプログラム形式のプログラム、圧縮処理されたプログラム、暗号化されたプログラム等を含む。
【００４３】
次に、フラッシュメモリ１０４に格納するプログラムおよびデータについて、より具体的に説明する。フラッシュメモリ１０４は、換気装置６０を制御するための制御プログラムを格納している。また、フラッシュメモリ１０４は、ホームコントローラ１０が生成したデータ、ホームコントローラ１０の外部装置から取得したデータ等の各種データを揮発的に格納する。
【００４４】
フラッシュメモリ１０４は、外部装置として、たとえば、人感センサ３０、温度センサ、および温度センサ５０等から取得したデータを揮発的に格納する。ＣＰＵ１０１は、人が居るか否かを示す情報（以下、「在室状況情報」とも称する）、室温の情報、床下空間８０の温度の情報等を、フラッシュメモリ１０４に格納する。
【００４５】
また、フラッシュメモリ１０４は、予め定められた時刻を示す時刻情報を格納している。なお、予め定められた時刻とは、たとえば、日が変わる２４時（午前零時）である。
【００４６】
さらに、フラッシュメモリ１０４は、現在の制御モードが、冬用モードに設定されているか、夏用モードに設定されているかを示すモード情報を格納している。ホームコントローラ１０の制御モードを冬用モードとするか夏用モードとするかは、たとえば、ユーザによる入力に基づいて決定される。あるいは、フラッシュメモリ１０４に、予め定められた日にちを示した情報を格納しておき、当該情報に基づいて、制御モードをＣＰＵ１０１が自動的に設定する構成としてもよい。たとえば、１０月１日から３月３１日までは冬用モード、４月１日から９月３１日までは夏用モードとなるように、モード情報を更新するように制御プログラムを設定しておけばよい。
【００４７】
＜ホームコントローラにおける制御構造＞
次に、ホームコントローラ１０のＣＰＵ１０１および通信インターフェイス１０８における処理について、図４〜図６に基づいて説明する。
【００４８】
図４は、ホームコントローラ１０で行なわれる処理の流れを示したフローチャートである。図４を参照して、ステップＳ２において、ホームコントローラ１０のＣＰＵ１０１は、フラッシュメモリ１０４からモード情報を読み出す。ステップＳ４において、ＣＰＵ１０１は、読み出したモード情報に基づき、現在の制御モードが冬用モードであるか否かを判断する。
【００４９】
ＣＰＵ１０１は、冬用モードであると判断した場合（ステップＳ４においてＹＥＳ）、ステップＳ６において冬用処理を実行する。一方、ＣＰＵ１０１は、冬用モードでないと判断した場合（ステップＳ４においてＮＯ）、ステップＳ８において夏用処理を実行する。
【００５０】
図５は、図４におけるステップＳ６の処理の詳細を示したフローチャートである。図５を参照して、ステップＳ６０２において、ＣＰＵ１０１は、人感センサ３０から在室状況情報を取得する。なお、ＣＰＵ１０１は、当該取得した在室状況情報をフラッシュメモリ１０４に格納する。ステップＳ６０４において、ＣＰＵ１０１は、温度センサ４０から室温の情報を取得し、温度センサ５０から床下空間８０の温度の情報を取得する。なお、ＣＰＵ１０１は、当該取得した各温度の情報をフラッシュメモリ１０４に格納する。
【００５１】
ステップＳ６０６において、ＣＰＵ１０１は、フラッシュメモリ１０４に格納された在室状況情報に基づき、部屋７０に人が居るか否かを判断する。ＣＰＵ１０１は、人が居ると判断した場合（ステップＳ６０６においてＹＥＳ）、ステップＳ６０８において、室温が床下空間８０の温度よりも高いか否かを判断する。
【００５２】
ＣＰＵ１０１は、高いと判断した場合（ステップＳ６０８においてＹＥＳ）、ステップＳ６１０において、換気装置６０に対して、部屋７０の空気を床下空間８０に送らせるための指令（第１の指令）を送信する。当該指令は、換気装置６０を予め定められた時間ｔ１（たとえば、１分）だけ稼動させる指令を含む。ＣＰＵ１０１は、高くないと判断した場合（ステップＳ６０８においてＮＯ）、処理をステップＳ６１８に進める。
【００５３】
ＣＰＵ１０１は、人が居ないと判断した場合（ステップＳ６０６においてＮＯ）、ステップＳ６１２において、室温が床下空間８０の温度よりも低いか否かを判断する。ＣＰＵ１０１は、低いと判断した場合（ステップＳ６１２においてＹＥＳ）、ステップＳ６１４において、換気装置６０に対して、床下空間８０の空気を部屋７０に送らせるための指令（第２の指令）を送信する。当該指令は、換気装置６０を予め定められた時間ｔ２（たとえば、３０分）だけ稼動させる指令を含む。ＣＰＵ１０１は、換気装置６０を指令された時間ｔ２だけ稼動させた後、ステップＳ６１６において、フラッシュメモリ１０４に格納された時刻情報で示される時間になるまで、換気装置６０を待機状態させる。つまり、ＣＰＵ１０１は、換気装置６０の稼動を停止させる指令を換気装置６０に送信する。
【００５４】
ＣＰＵ１０１は、低くないと判断した場合（ステップＳ６１２においてＮＯ）、処理をステップＳ６１８に進める。ステップＳ６１８において、ＣＰＵ１０１は、制御モードの変更があったか否かを判断する。すなわち、ＣＰＵ１０１は、制御モードが冬用モードから夏用モードに変更されたか否かを判断する。ＣＰＵ１０１は、変更されたと判断した場合（ステップＳ６１８においてＹＥＳ）、処理を図４のステップＳ８に進める。ＣＰＵ１０１は、変更されていないと判断した場合（ステップＳ６１８においてＮＯ）、ステップＳ６２０において、ホームコントローラ１０の電源をオフする入力を、入力装置１０７を介して受け付けたか否かを判断する。
【００５５】
ＣＰＵ１０１は、受け付けたと判断した場合（ステップＳ６２０においてＹＥＳ）、冬用処理を終了する。ＣＰＵ１０１は、受け付けていないと判断した場合（ステップＳ６２０においてＮＯ）、処理をステップＳ６０２に進める。
【００５６】
図６は、図４におけるステップＳ８の処理の詳細を示したフローチャートである。図６を参照して、ステップＳ８０２において、ＣＰＵ１０１は、人感センサ３０から在室状況情報を取得する。なお、ＣＰＵ１０１は、当該取得した在室状況情報をフラッシュメモリ１０４に格納する。ステップＳ８０４において、ＣＰＵ１０１は、温度センサ４０から室温の情報を取得し、温度センサ５０から床下空間８０の温度の情報を取得する。なお、ＣＰＵ１０１は、当該取得した各温度の情報をフラッシュメモリ１０４に格納する。
【００５７】
ステップＳ８０６において、ＣＰＵ１０１は、フラッシュメモリ１０４に格納された在室状況情報に基づき、部屋７０に人が居るか否かを判断する。ＣＰＵ１０１は、人が居ると判断した場合（ステップＳ８０６においてＹＥＳ）、ステップＳ８０８において、室温が床下空間８０の温度よりも低いか否かを判断する。
【００５８】
ＣＰＵ１０１は、低いと判断した場合（ステップＳ８０８においてＹＥＳ）、ステップＳ８１０において、換気装置６０に対して、部屋７０の空気を床下空間８０に送らせるための指令（第１の指令）を送信する。当該指令は、換気装置６０を予め定められた時間ｔ３（たとえば、１分）だけ稼動させる指令を含む。ＣＰＵ１０１は、低くないと判断した場合（ステップＳ８０８においてＮＯ）、処理をステップＳ８１８に進める。
【００５９】
ＣＰＵ１０１は、人が居ないと判断した場合（ステップＳ８０６においてＮＯ）、ステップＳ８１２において、室温が床下空間８０の温度よりも高いか否かを判断する。ＣＰＵ１０１は、高いと判断した場合（ステップＳ８１２においてＹＥＳ）、ステップＳ８１４において、換気装置６０に対して、床下空間８０の空気を部屋７０に送らせるための指令（第２の指令）を送信する。当該指令は、換気装置６０を予め定められた時間ｔ４（たとえば、３０分）だけ稼動させる指令を含む。ＣＰＵ１０１は、換気装置６０を指令された時間ｔ４だけ稼動させた後、ステップＳ８１６において、フラッシュメモリ１０４に格納された時刻情報で示される時間になるまで、換気装置６０を待機状態させる。つまり、ＣＰＵ１０１は、換気装置６０の稼動を停止させる指令を換気装置６０に送信する。
【００６０】
ＣＰＵ１０１は、高くない判断した場合（ステップＳ８１２においてＮＯ）、処理をステップＳ８１８に進める。ステップＳ８１８において、ＣＰＵ１０１は、制御モードの変更があったか否かを判断する。すなわち、ＣＰＵ１０１は、制御モードが夏用モードから冬用モードに変更されたか否かを判断する。ＣＰＵ１０１は、変更されたと判断した場合（ステップＳ８１８においてＹＥＳ）、処理を図４のステップＳ６に進める。ＣＰＵ１０１は、変更されていないと判断した場合（ステップＳ８１８においてＮＯ）、ステップＳ８２０において、ホームコントローラ１０の電源をオフする入力を、入力装置１０７を介して受け付けたか否かを判断する。
【００６１】
ＣＰＵ１０１は、受け付けたと判断した場合（ステップＳ８２０においてＹＥＳ）、夏用処理を終了する。ＣＰＵ１０１は、受け付けていないと判断した場合（ステップＳ８２０においてＮＯ）、処理をステップＳ８０２に進める。
【００６２】
（１）以上のように、ＣＰＵ１０１は、制御モードが冬用モードの場合、部屋７０の温度が床下空間８０の温度よりも高いと判断したことに基づき、通信インターフェイス１０８を用いて、換気装置６０に部屋７０の空気を床下空間８０に送らせる制御を行なう。また、ＣＰＵ１０１は、部屋７０の温度が床下空間８０の温度よりも低いと判断したことに基づき、通信インターフェイス１０８を用いて、換気装置６０に床下空間８０の空気を部屋７０に送らせる制御を行なう。
【００６３】
したがって、換気システム１では、日中などにおいて室温が床下空間８０の温度よりも高いときには、部屋７０の空気を床下空間８０に蓄えることができる。また、夕方や夜間などにおいて、室温が床下空間８０の温度よりも低くなるときには、日中に蓄えた床下空間８０の空気を部屋７０に送ることができる。それゆえ、換気システム１では、日中において部屋７０に蓄えられた熱を効率的に利用可能となる。
【００６４】
詳しくは、ＣＰＵ１０１は、制御モードが冬用モードの場合、部屋７０の温度が床下空間８０の温度よりも低いと判断し、かつ人が部屋７０に居ると判断したことに基づき、換気装置６０に床下空間８０の空気を部屋７０に送らせる制御を行なう。
【００６５】
つまり、ＣＰＵ１０１は、部屋７０に人が居ないときには、床下空間８０の暖かい空気を部屋７０に戻さない。したがって、換気システム１では、日中において部屋７０に蓄えられた熱をさらに効率的に利用可能となる。
【００６６】
より詳しくは、ＣＰＵ１０１は、制御モードが冬用モードの場合、部屋７０の温度が床下空間８０の温度よりも高いと判断し、かつ部屋７０に人が居ないと判断したことに基づき、換気装置６０に部屋７０の空気を床下空間８０に送らせる制御を行なう。
【００６７】
つまり、ＣＰＵ１０１は、部屋７０の温度が床下空間８０の温度よりも高い場合であっても部屋７０に人が居るときには、部屋７０の空気を床下空間８０に送らせる制御を行なわない。それゆえ、換気システム１は、部屋７０の空気を床下空間８０に送る場合比べて、室温を上昇させることができる。それゆえ、換気システム１では、部屋７０の空気を床下空間８０に送る場合比べて、部屋７０をユーザにとって快適な状態とすることができる。
【００６８】
（２）ＣＰＵ１０１は、制御モードが夏用モードの場合、部屋７０の温度が床下空間８０の温度よりも低いと判断したことに基づき、換気装置６０に部屋７０の空気を床下空間８０に送らせる制御を行なう。また、ＣＰＵ１０１は、部屋７０の温度が床下空間８０の温度よりも高いと判断したことに基づき、換気装置６０に床下空間８０の空気を部屋７０に送らせる制御を行なう。
【００６９】
したがって、換気システム１では、夜中や早朝などにおいて室温が床下空間８０の温度よりも低いときには、部屋７０の空気を床下空間８０に蓄えることができる。また、日中などにおいて、室温が床下空間８０の温度よりも高くなるときには、夜中や早朝に蓄えた床下空間８０の空気を部屋７０に送ることができる。それゆえ、換気システム１では、夜中や早朝において部屋７０に蓄えられた冷気を効率的に利用可能となる。
【００７０】
詳しくは、ＣＰＵ１０１は、制御モードが夏用モードの場合、部屋７０の温度が床下空間８０の温度よりも高いと判断し、かつ人が部屋７０に居ると判断したことに基づき、換気装置６０に床下空間８０の空気を部屋７０に送らせる制御を行なう。
【００７１】
つまり、ＣＰＵ１０１は、部屋７０に人が居ないときには、床下空間８０の冷たい空気を部屋７０に戻さない。したがって、換気システム１では、夜中や早朝において部屋７０に蓄えられた冷機をさらに効率的に利用可能となる。
【００７２】
より詳しくは、ＣＰＵ１０１は、制御モードが夏用モードの場合、部屋７０の温度が床下空間８０の温度よりも低いと判断し、かつ人が部屋７０に居ないと判断したことに基づき、換気装置６０に部屋７０の空気を床下空間８０に送らせる制御を行なう。
【００７３】
つまり、ＣＰＵ１０１は、部屋７０の温度が床下空間８０の温度よりも低い場合であっても部屋７０に人が居るときには、部屋７０の空気を床下空間８０に送らせる制御を行なわない。それゆえ、換気システム１は、部屋７０の空気を床下空間８０に送る場合比べて、室温の上昇を抑制することができる。それゆえ、換気システム１では、部屋７０の空気を床下空間８０に送る場合比べて、部屋７０をユーザにとって快適な状態とすることができる。
【００７４】
＜変形例＞
（１）上記においては、説明の便宜上、住宅９００に部屋が１つしかない構成を例に挙げたが、部屋は複数であってもよい。部屋が複数ある場合、各部屋と床下空間８０との換気が可能なように、住宅９００および換気システム１を構成してもよい。
【００７５】
また、このような構成の場合、部屋毎に換気を行なうか否かを設定可能に換気システム１を構成してもよい。たとえば、換気装置６０と各部屋とをつなぐ各ダクトに、換気装置６０と部屋との間における空気の流れを制御するための機構を設け、ホームコントローラ１０が当該機構の動作を制御すればよい。
【００７６】
ホームコントローラ１０は、いずれの部屋において換気を行なうかを、たとえばユーザの設定に基づいて決定すればよい。あるいは、各部屋に設けられた人感センサ３０の検出結果の履歴に基づき決定するようにホームコントローラ１０を構成してもよい。たとえば、冬の夜に人が一定割合以下しか人が居ない部屋では、床下空間８０から当該部屋への換気を行なわないように、ホームコントローラ１０を構成すればよい。つまり、ホームコントローラ１０は、人感センサ３０の検出結果に基づいた生活パターンに応じて、各部屋における換気の有無を決定すればよい。
【００７７】
（２）上記においては、換気システム１が人感センサ３０を備える構成を例に挙げたが、人感センサ３０は必ずしも必要ではない。たとえば、ホームコントローラ１０は、部屋７０に人が居るか否かを、ユーザの入力に基づき判断してもよい。たとえば、ユーザが外出時にホームコントローラ１０に設けられた外出ボタンを押すことにより、部屋７０には人が居ないと判断し、かつ帰宅時にホームコントローラ１０に設けられた帰宅ボタンを押すことにより、部屋７０には人が居ると判断するようにホームコントローラ１０を構成すればよい。
【００７８】
また、部屋７０に人が居るか否かを、人感センサ３０の検出結果の履歴に基づき決定するようにホームコントローラ１０を構成してもよい。
【００７９】
（３）また、床下空間８０に、プラズマクラスターイオンを発生させるイオン発生装置を設置しておくことが好ましい。床下空間８０は、部屋７０に比べて空気の循環が起こりにくいため、部屋に比べて、ウイルスやカビ菌などが発生しやすい。このため、当該イオン発生装置によりプラズマクラスターイオンを発生させることにより、部屋７０に除菌後の空気を送ることが可能となる。
【００８０】
プラズマクラスターイオンを発生させるタイミングは、特に限定されるものではない。ただし、床下空間８０の空気を部屋７０に戻す前に除菌が行なわれることが好ましい。
【００８１】
（４）たとえば、換気システム１をマンションのような集合住宅に適応させる場合、床下空間とは、部屋の床と１つ下の階における部屋の天井との間の空間であってもよいし、あるいは部屋の天井と１つ上の階における部屋の床との間の空間であってもよい。
【００８２】
（５）また、図５のステップＳ６１０により、換気装置６０が予め定められた時間ｔ１（たとえば、１分）だけ稼動させる構成を例に挙げたが、これに限定されるものではない。室温と床下空間８０の温度とが同じとなるまで換気装置を稼動させるように、ホームコントローラ１０を構成してもよい。図５のステップＳ６１４、図６のステップＳ８１０、図６のステップＳ８１４においても同様である。
【００８３】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８４】
１  換気システム、１０  ホームコントローラ、３０  人感センサ、４０，５０  温度センサ、６０  換気装置、６１  送風装置、６１ａ，６２ａ  換気口、６２  ダクト、７０  部屋、８０  床下空間、１０４  フラッシュメモリ、１０７  入力装置、１０８  通信インターフェイス、１１０  モニタ、１９１  メモリカード、９００  住宅、９１０  基礎、９３０  床、９４０  外壁、９５０  内壁。
【図１】
0005657289.tif 000002
【図２】
0005657289.tif 000003
【図３】
0005657289.tif 000004
【図４】
0005657289.tif 000005
【図５】
0005657289.tif 000006
【図６】
0005657289.tif 000007